(57)【特許請求の範囲】
【請求項１】
略円板状の台金の外周にチップが所定間隔をあけて取り付けられたチップソーにおいて、前記チップには第１チップと第２チップを備え、
第１チップは厚み方向中央に位置し、被切断物の被切削部の中央部を切削する中央部用刃部と、厚み方向両端部に位置し、被切断物の切断面となる部分を切断する切断面用刃部と、前記中央用刃部と前記切断用刃部との間に位置し、切削に関与しない切削非関与部とを有し、前記台金の厚み方向の中心を基準とする線対称で、且つ前記中心に向かって上り勾配となる少なくとも一対の傾斜面とを有し、
第２チップは前記第１チップの中央部用刃部に対応する部分に設けられ、切削に関与しない切削非関与部と、前記第１チップの切削非関与部に対応する部分に設けられ、被切断物の前記第１チップの中央部用刃部によって切削される中央部の両側部を切削する両側部用刃部と、前記第１チップの切断面用刃部に対応する部分に前記第１チップの切断面用刃部と同じ面状に設けられ、前記第１チップの切断面用刃部と共に、被切断物の切断面となる部分を切断する切断面用刃部とを有し、前記台金の厚み方向の中心を基準とする線対称で、且つ前記中心に向かって上り勾配となる少なくとも一対の傾斜面とを有し、
前記第１チップ、第２チップから成る全てのチップが直進性を維持しながら分割切削すると共に、前記第１チップの切断面用刃部と前記第２チップの切断面用刃部による切断面の切削を行うことを特徴とするチップソー。
【請求項２】
請求項１に記載したチップソーにおいて、中央部用刃部の中心には一対の傾斜面の交点となる部位にチップソーの回転方向へ延びる頂部が設けられ、中央部用刃部は山形に形成されていることを特徴とするチップソー。
【請求項３】
請求項１また２に記載したチップソーにおいて、前記第１チップと第２チップは交互に植設されていることを特徴とするチップソー。
【発明の詳細な説明】
【技術分野】
【０００１】
本発明はチップソーに係り、特に建材等の被切断物を分割して切削し切断するチップソーに関するものである。
【背景技術】
【０００２】
特許文献１に記載されたチップソーは逃げ面の幅方向中央位置に略溝の円周方向へ延びる中央溝が形成されたチップが一つ置きに取り付けられ、該各チップ間には、逃げ面の幅方向中央より左右いずれか一側に寄った位置に溝が形成されたチップと同他側寄り位置に溝が形成されたチップとが順次交互に取り付けられている。
特許文献１に係るチップソーは、切削部分の異なる複数種類のチップを備えて所謂分割切削を行い、チップにかかる負荷を分割させて、チップソーの耐久性を向上させるなどの効果を得ようとするものである。
【先行技術文献】
【特許文献】
【０００３】
【特許文献１】特開２００７−１９６３４１号公報
【発明の概要】
【発明が解決しようとする課題】
【０００４】
しかしながら、上記従来のチップソーは、チップごとに異なる位置に溝を設けることによって分割切削を行っているが、溝は極小さなものであり、チップにかかる負荷を分割させる効果がかなり小さいという問題がある。
また、左右いずれか一側に寄った位置に溝が形成されたチップと同他側寄り位置に溝が形成されたチップとが順次交互されているため、切断動作の際に台金が振れるおそれがあり、チップソーが被切断部に対し真っ直ぐに進行する直進性が低下するという問題がある。
更に、上記のように直進性が低下する結果、被切断物の切断面が荒くなってしまうおそれもある。
【０００５】
本発明は上記従来の問題点に着目して為されたものであり、チップにかかる負荷を分割することが可能で、チップソーの耐久性を向上できて、しかも高い直進性を発揮でき、更に切断面がきれいな被切断物を得ることができるチップソーの提供を、その目的とする。
【課題を解決するための手段】
【０００６】
本発明は上記課題を解決するためになされたものであり、請求項１の発明は、略円板状の台金の外周にチップが所定間隔をあけて取り付けられたチップソーにおいて、前記チップには第１チップと第２チップを備え、第１チップは厚み方向中央に位置し、被切断物の被切削部の中央部を切削する中央部用刃部と、厚み方向両端部に位置し、被切断物の切断面となる部分を切断する切断面用刃部と、前記中央用刃部と前記切断用刃部との間に位置し、切削に関与しない切削非関与部とを有し、前記台金の厚み方向の中心を基準とする線対称で、且つ前記中心に向かって上り勾配となる少なくとも一対の傾斜面とを有し、第２チップは前記第１チップの中央部用刃部に対応する部分に設けられ、切削に関与しない切削非関与部と、前記第１チップの切削非関与部に対応する部分に設けられ、被切断物の前記第１チップの中央部用刃部によって切削される中央部の両側部を切削する両側部用刃部と、前記第１チップの切断面用刃部に対応する部分に前記第１チップの切断面用刃部と同じ面状に設けられ、前記第１チップの切断面用刃部と共に、被切断物の切断面となる部分を切断する切断面用刃部とを有し、前記台金の厚み方向の中心を基準とする線対称で、且つ前記中心に向かって上り勾配となる少なくとも一対の傾斜面とを有し、前記第１チップ、第２チップから成る全てのチップが直進性を維持しながら分割切削すると共に、前記第１チップの切断面用刃部と前記第２チップの切断面用刃部による切断面の切削を行うことを特徴とするチップソーである。
【０００７】
請求項２の発明は、請求項１に記載したチップソーにおいて、中央部用刃部の中心には一対の傾斜面の交点となる部位にチップソーの回転方向へ延びる頂部が設けられ、中央部用刃部は山形に形成されていることを特徴とするチップソーである。
【０００８】
請求項３の発明は、請求項１また２に記載したチップソーにおいて、前記第１チップと第２チップは交互に植設されていることを特徴とするチップソーである。
【発明の効果】
【０００９】
本発明のチップソーでは、全てのチップが分割切削、直進性、切断面の切削の三つの機能を有しているので、チップにかかる負荷を分割することが可能となり、チップソーの耐久性を向上させることができるようになる。また、高い直進性を発揮することが可能である。更に切断面がきれいな被切断物を得ることができるようになる。
【図面の簡単な説明】
【００１０】
【図１】本発明の実施の形態に係るチップソーの正面図である。
【図２】図１のチップソーの外周部を直線状に配置した状態の側面図である。
【図３】図１のチップソーのチップを直線状に配置した状態のチップの拡大平面図である。
【図４】図４（Ａ）は図１のチップソーに備えられる第１チップの側面図、（Ｂ）は同平面図である。
【図５】図５（Ａ）は図１のチップソーに備えられる第２チップの側面図、（Ｂ）は同平面図である。
【図６】図１のチップソーによって建材を切削する際における第１チップと第２チップの働きを説明するための図である。
【発明を実施するための形態】
【００１１】
本発明の実施の形態に係る木工用のチップソー１を図面にしたがって説明する。
符号３は略円板状の台金を示し、この台金３の外周には２４個の凸部２が設けられ、この凸部２の刃台４に第１チップ５と第２チップ７が取り付けられている。
すなわち、第１チップ５と第２チップ７の二種類で合計２４個がろう付等によって刃台４に植設されている。第１チップ５と第２チップ７は交互に等間隔をあけて配置されている。
【００１２】
第１チップ５の詳細な構成について説明する（図６参照）。
図６においては第１チップ５の一部を破線で示し、第２チップ７を実線で示し、更に第１チップ５と第２チップ７とが重なる部分を太線で示している。
第１チップ５の上面には、中央部用刃部９、切断面用刃部１１が設けられている。また、中央部用刃部９と切断面用刃部１１との間には切削に関与しない切削非関与部１０が設けられている。この切削非関与部１０は後述する両側部用刃部１５より低くなっている。
【００１３】
中央部用刃部９は第１チップ５の台金３の厚み方向の中央に位置し、台金３の厚み方向の中心に向かって両側から徐々に高くなっており、その中心にチップソーの回転方向へ延びる頂部１３が形成されている。すなわち、中央部用刃部９は頂部１３を中心とする山形に形成されている。
この中央部用刃部９は後述するように建材等の被切断物の切削部分の中央部を切削する。
【００１４】
中央部用刃部９の上面は台金３の厚み方向の中心（仮想線Lで示す）を基準とする線対称で、且つ中心に向かって上り勾配となる一対の傾斜面９ａ、９ｂとなっている。前記した頂部１３は一対の傾斜面９ａ、９ｂの交点となる部位に設けられている。
【００１５】
また、切断面用刃部１１は第１チップ５の台金３の厚み方向の両端部に位置し、所定の幅寸法を有している。この切断面用刃部１１は被切断物としての建材Wの切断面となる部分を切削する。
切断面用刃部１１の上面は台金３の厚み方向の中心（仮想線Lで示す）を基準とする線対称で、且つ中心に向かって上り勾配となる一対の傾斜面１１ａ、１１ｂとなっている。
【００１６】
第２チップ７の上面には、両側部用刃部１５、切断面用刃部１７が設けられている。また、第２チップ７の中央部には切削に関与しない切削非関与部１９が設けられている。
両側部用刃部１５は第１チップ５の切削非関与部１０に対応する部分に備えられている。
両側部用刃部１５の上面は台金３の厚み方向の中心（仮想線Ｌで示す）を基準とする線対称で、且つ中心に向かって上り勾配となる一対の傾斜面１５ａ、１５ｂとなっている。
【００１７】
また、切断面用刃部１７は第１チップ５の切断面用刃部１１に対応する部分に設けられている。
切断面用刃部１７の上面は台金３の厚み方向の中心（仮想線Ｌで示す）を基準とする線対称で、且つ中心に向かって上り勾配となる一対の傾斜面１７ａ、１７ｂとなっている。
更に切削非関与部１９は第１チップ５の中央部用刃部９に対応する部分に設けられており、中央部用刃部９より低くなっている。
【００１８】
両側部用刃部１５は後述するように中央部用刃部９によって切削される中央部の両側部を切削する。また、切断面用刃部１７は、建材Ｗの切断面となる部分を切削する。
【００１９】
次に、このチップソー１が建材Ｗを切断する動作を説明する。
チップソー１は切断装置に装着されて、高速で回転させられて建材Ｗに押し当てられる。
建材Ｗの被切削部Ｗａには、まず第１チップ５の中央部用刃部９の頂部１３が接触し、中央部用刃部９によって建材Ｗの被切削部Ｗａの中央部Ｗｂが切削される。
また、切断面用刃部１１によって被切削部Ｗａの両端部Ｗｄが切削され、これと共に建材Ｗの切断面Ｗｅとなる部分が切削される。
【００２０】
第２チップ７の両側部用刃部１５によって建材Ｗの被切削部Ｗａの両側部Ｗｃを切削する。両側部Ｗｃは中央部Ｗｂの両側部、すなわち両側部用刃部１５は中央部Ｗｂと両端部Ｗｄとの間の両側部Ｗｃ部分を切削する。更に、切断面用刃部１７は第１チップ５の切断面用刃部１１と同じ部分を切削する。すなわち切断面用刃部１１と切断面用刃部１７によって被切削部Ｗａの両端部Ｗｄが切削され、これと共に建材Ｗの切断面Ｗｅとなる部分が切削される。
【００２１】
前述したように第１のチップ５には、一対の傾斜面９ａ、９ｂ、一対の傾斜面１１ａ、１１ｂが形成され、第２チップ７には一対の傾斜面１５ａ、１５ｂ、一対の傾斜面１７ａ、１７ｂが形成されているので、チップソー１が台金３の厚み方向のいずれか一方側へ寄ると、切削抵抗によってチップソー１が中心に寄せられることになる。すなわち、チップソー１が傾斜面９ａ、１１ａ、１５ａ、１７ａ側へ寄ると、傾斜面９ａ、１１ａ、１５ａ、１７ａに加わる切削抵抗によってチップソー１を中心へ付勢する力が生じ、また、チップソー１が傾斜面９ｂ、１１ｂ、１５ｂ、１７ｂ側へ寄ると、傾斜面９ｂ、１１ｂ、１５ｂ、１７ｂに加わる切削抵抗によってチップソー１を中心へ付勢する力が生じる。このように、チップソー１では第１チップ５、第２チップ７の両方、即ち全てのチップが直進性に寄与することなり、チップソー１が振れるのが規制され、チップソーは高い直進性を発揮することができる。
【００２２】
なお、切削動作において第１チップ５の切削非関与部１０は両側部用刃部１５より低くなっており、また第２チップ７の切削非関与部１９は中央部用刃部９より低くなっているので、建材Ｗの切削には関与しない。
上記のように被切削部Ｗａの中央部Ｗｂに対しては第１チップ５の中央部用刃部９のみが切削を行い、両側部Ｗｃに対しては第２チップ７の両側部用刃部１５のみが切削を行う。これにより、被切削部Ｗａに対する分割切削が行われる。従って、チップにかかる負荷を分割することが可能で、チップソー１の耐久性を向上させることができる。
【００２３】
また、中央部用刃部９は頂部１３を中心とする山形に形成されており、頂部１３は切削動作において被切削部Ｗａの中心に食い込んだ状態となっているので、チップソー１はより高い直進性を発揮することができる。
更に、切断面用刃部１１と切断面用刃部１７によって被切削部Ｗａの両端部Ｗｄが切削され、これと共に建材Ｗの切断面Ｗｅとなる部分が切削される。すなわち、切断面Ｗｅは切断面用刃部１１と切断面用刃部１７によって複数回切削されることになり、切削面Ｗｅがきれいなものとなり、切断面がきれいな建材Ｗを得ることができる。
上記したように、チップソー１では第１チップ５、第２チップ７から成る全てのチップが分割切削、切断面の切削を行い、更に直進性を発揮することに寄与することになる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態ではチップの数を２４個としたが、本発明はこれに限定されず、２４個より少ない数のチップを備えても、多い数のチップを備えるようにしてもよい。
【００２５】
上記実施の形態では第１チップ５と第２チップ７とを交互に配置したが、本発明はこれに限定されず、例えば第１チップ５に１個に対し第２チップ７を２個配置する等の構成とすることも可能である。
また、本発明のチップソーは木工用だけでなく、金属、プラスチック等あらゆるものを切断するに用いることができる。
上記実施の形態では、第１チップ５の中央部用刃部９と第２チップ７の両側部用刃部１５の２つの刃部によって分割切削を行うようにしたが、第１チップ５、第２チップ７の一方または両方の刃部を増やして、３以上の刃部によって分割切削を行うことが可能な構成としてもよい。
上記実施の形態では、第１チップ５に一対の傾斜面９ａ、９ｂと一対の傾斜面１１ａ、１１ｂを備え、また第２チップ７には一対の傾斜面１５ａ、１５ｂと一対の傾斜面１７ａ、１７ｂを備えるようにしたが、本発明はこれに限定されず、第１チップ５、第２チップ７それぞれに少なくも一対の傾斜面を備えればよく、第１チップ５、第２チップ７それぞれに一対の傾斜面を１つ、或いは３つ以上設ける構成としてもよい。
【産業上の利用可能性】
【００２６】
本発明のチップソーは木工用、金属用を問わず、広くチップソーの製造業に利用することが可能である。
【符号の説明】
【００２７】
１…チップソー      ２…凸部      ３…台金
４…刃台      ５…第１チップ      ７…第２チップ
９…中央部用刃部      １０…切削非関与部
１１…切断面用刃部      １３…頂部      １５…両側部用刃部
１７…切断面用刃部      １９…切削非関与部
９ａ、９ｂ、１１ａ、１１ｂ…第１チップの傾斜面
１５ａ、１５ｂ、１７ａ、１７ｂ…第２チップの傾斜面
Ｗ…建材      Ｗａ…被切削部        Ｗｂ…中央部
Ｗｃ…両側部    Ｗｄ…両端部    Ｗｅ…切断面
【図１】
0005752457.tif 000002
【図２】
0005752457.tif 000003
【図３】
0005752457.tif 000004
【図４】
0005752457.tif 000005
【図５】
0005752457.tif 000006
【図６】
0005752457.tif 000007